(57)【特許請求の範囲】
【請求項１】
建屋外壁表面と屋外側において重なり合う、窓枠の重合部片に、建屋開口部の内周面に重なり合う挿入部片と、該挿入部片の外周側において先端を前記建屋外壁表面に当接する突き当て部片をそれぞれ突設し、これら挿入部片と突き当て部片および重合部片で構成する、屋内側開口の溝内に、前記内周面に重ね合わせたときの前記挿入部片と前記内周面との間の隙間に流動塑性変形して流れ込んで前記建屋外壁表面と前記内周面に連続して密接するシール材を係合した、窓枠と建屋開口部間のシール装置。
【請求項２】
シール材をブチルゴムで構成した、請求項１記載の窓枠と建屋開口部間のシール装置。
【請求項３】
シール材を、ブチルゴム部材と、該ブチルゴム部材を介して重合部片および挿入部片に相対し、かつ、建屋外壁表面に接する弾性部材で構成した、請求項１記載の窓枠と建屋開口部間のシール装置。
【発明の詳細な説明】
【０００１】
【産業上の利用分野】
本発明は窓枠と建屋開口部間すなわち窓枠を組付ける、建屋開口部の内壁と建屋外壁部とが成す隅角部のシール装置に関するものである。
【０００２】
【従来の技術】
建屋外壁と屋外側において重なり合う、窓枠の重合部片に、前記建屋外壁と対向する係合溝を設け、該係合溝に嵌着した弾性のシール材を前記建屋外壁に接触させた構成にしているのが一般である。
【０００３】
【発明が解決しようとする課題】
近年、建屋外壁に表面に凹凸より成る模様を施した外装パネルを用いられるようになっているが、前記従来例のシール材は該シール材が接する凹凸面形状に追従することができず，隙間が生じ、該隙間を通じて雨水が屋内側に侵入する場合があり、窓枠と建屋開口部シール装置における一つの課題とされている。
【０００４】
本発明は、斯様な課題を解決する技術的手段を提供すべく創案したものである。
【０００５】
【課題を解決するための手段】
建屋外壁表面と屋外側において重なり合う、窓枠の重合部片に、建屋開口部の内周面に重なり合う挿入部片と、該挿入部片の外周側において先端を前記建屋外壁表面に当接する突き当て部片をそれぞれ突設し、これら挿入部片と突き当て部片および重合部片で構成する、屋内側開口の溝内に、前記内周面に重ね合わせたときの前記挿入部片と前記内周面との間の隙間に流動塑性変形して流れ込んで前記建屋外壁表面と前記内周面に連続して密接するシール材を係合したことを基本的手段とし、シール材としてブチルゴムが流動性、水気密性に優れているので好適で、該ブチルゴムは保形性に欠けるため、前記シール材を、ブチルゴム部材と、該ブチルゴム部材を介して重合部片および挿入部片に相対し、かつ建屋外壁表面に接する弾性部材で構成することにより、シール材の窓枠に対する当初の取付け状態（この場合、ブチルゴムの粘着性を利用して）を維持させて、窓枠の建屋開口部に対する取付け作業に支障ないようにし、かつ、ブチルゴムのシール機能上不必要な方向への流動を弾性部材で規制する。
【０００６】
【実施例】
図面は本発明に係る窓枠と建屋開口部間のシール装置の実施例を示し、図１は窓枠を建屋開口部に取付ける前の状態の第一実施例の断面図、図２は窓枠を建屋開口部に取付けた状態における第一実施例の模様凸部部分の断面図、図３は窓枠を建屋開口部に取付けた状態における第一実施例の模様凹部部分の断面図、図４は窓枠を建屋開口部に取付ける前の状態の第二実施例の断面図、図５は窓枠を建屋開口部に取付けた状態の第二実施例の断面図である。
【０００７】
図示の実施例は上枠、下枠および左右の縦枠を互いに組付けて構成した窓枠Ａの一方の縦枠１を示しているが、図示の縦枠１以外の前記上枠、下枠および他の一方の縦枠にも以下に説明するのとほぼ同一構造のものが配されており、請求項でいう「窓枠」は前記窓枠を構成する上枠等の各枠の全部又は一部を意味する。
【０００８】
しかして、前記縦枠１（請求項でいう「窓枠」）には、建屋外壁表面を構成し、かつ、表面に凹部２ａと凸部２ｂより成る凹凸模様２を施した外装パネル３と屋外側において重なり合う重合部片４を設け、該重合部片４に建屋開口部５の内周面５Ａ（実施例では、前記外装パネル３が一部を構成している）に内側において重なり合う挿入部片６を直角（屋内側）方向に突設して該挿入部片６と前記重合部片４で構成する隅角部７を設け、この隅角部７の外周側（窓枠の外部側）、すなわち、前記挿入部片６の外周側に先端８ａが前記外装パネル３に当接する突き当て部片８を突設する。
【０００９】
そして、この縦枠１の前記隅角部７、すなわち、前記挿入部片６と前記突き当て部片８並びに重合部片４の一部とで構成する溝内にブチルゴムで構成したシール材１０を、突き当て部片８の先端８ａより屋内方向に突出するようにして係合粘着せしめ、突き当て部片先端８ａを前記外装パネル３表面に当接させて前記シール材１０を流動塑性変形させて前記外装パネル３の屋外側面すなわち建屋外壁表面と前記内周面５Ａに連続して密接させて実施装置としたものである。
【００１０】
第一実施例のシール材１０は表面に配したブチルゴム部材１０ａを主要部材とし、該ブチルゴム部材１０ａの芯材として多孔性弾性材（スポンジなど）より成る弾性部材１０ｂを設けたもので、弾性部材１０ｂはブチルゴム部材１０ａのみでシール材１０を構成するもとの比較し、低廉にするためとブチルゴム部材１０ａの流動塑性変形に支障を与えないためで、本発明はブチルゴムのみで構成しても、或いはブチルゴム以外のものを主要素材としても必ずしも不都合のない場合がある。
【００１１】
図４および図５で示す第二実施例のシール材１０は、第一実施例と同様にブチルゴムを主要素材とし、ブチルゴム部材１０ａを、重合部片４に接する第一部片１０ａ´、挿入部片６に接する第二部片１０ａ´´および外装パネル３に接する第三部片１０ａ´´´とで成る断面ややＵ字形体で構成し、このブチルゴム部材１０ａに第一実施例と同素材の弾性部材１０ｂを接合して、シール材１０を縦枠１にブチルゴムの粘性を利用して取付けた（止着した）とき、弾性部材１０ｂがブチルゴム部材１０ａを介して挿入部片６と重合部片４に相対し、かつ、外装パネル３（建屋外壁表面）に接するようにしたものである。
【００１２】
この第二実施例の場合は、弾性部材１０ｂが外装パネル３に直接接触して重合部片４および挿入部片６に相対するため、ブチルゴム部材１０ａが外装パネル３と重合部片４によって挟圧されたとき、外装パネル３の表面（屋外面）方向（窓枠Ａの外側）に流動変形することがなく、該弾性部材１０ｂの外装パネル表面に接する部分１０ｂ´がいわば堰となってブチルゴム部材１０ａの流動方向を規制し、強制的に挿入部片６と内壁５Ａとの間の隙間１１内に流れ込むようにしたものである。
【００１３】
第二実施例のブチルゴム部材１０ａを構成する前記第一部片１０ａ´はシール性能上必ずしも必要としないが（従って、省略しても良い）、該第一部片１０ａ´の存在によってシール材１０を縦枠１（窓枠Ａ）にブチルゴムの粘着性を利用して確実に止着でき、従って、シール材１０の欠落を可及的に防げるから窓枠の建屋に対する組付け作業を円滑に行うことができる。
【００１４】
各実施例において、突き当て部片８を用いることにより、シール材１０の突き当て部片８側すなわち窓枠外周側方向への変形は規制され、その流動性によって前記挿入部片６と前記内周面５Ａとの間に形成される隙間１１に確実にシール材１０の一部が流れ込み、設計通りのシール装置を確実に得られる。
【００１５】
因みに、ここで流動乃至流動変形又は流動性とは、負荷する外力の強さによって特定の空間域の全域を充たす流体以外の物質の備えた性質を意味し、この性質を備え、かつ、水気密性を備えたものであれば（もとより、塑性変形性も備え）、実施例の用に未加硫乃至半加硫のブチルゴムのみをシール材１０の素材としなくとも良い。
【００１６】
なお、実施例のものは、屋内側の締付けボルト１３を締め付けることによって前記縦枠１（窓枠）の重合部片４を介してシール材１０を変形させ、所定位置に配するようにしてある。
【００１７】
また、弾性部材１０ｂは多孔性を備えたものでなくとも良く、いわゆるゴムで良い。
【００１８】
【発明の効果】
本発明は前記の通りの構成であるから、凹凸模様を備えた外装パネルの凹入部にシール材が確実に密接して窓枠と建屋開口部間の水気密シールを確実に行えるシール装置を提供できる。
【００１９】
また、突き当て部片を設けることによってシール材が不必要な窓枠外側方向域に流動塑性変形せず、従って、設計通りのシール装置を得られる。
【００２０】
さらに、シール材をブチルゴムとすることによって、その粘性を利用して窓枠に仮止めでき、従って、窓枠の建屋開口部に対する組付け作業時に特別な装置を必要とせずに、窓枠よりの脱落を防ぎ、かつ、粘性によって窓枠側は勿論建屋外壁に対する密性強度を高め、経時変化の少いシール機能の優れた装置を提供できる。
【図面の簡単な説明】
【図１】第一実施例の窓枠を建屋開口部に取付ける前の状態の断面図。
【図２】第一実施例の窓枠を建屋開口部に取付けた状態の模様凸部部分の断面図。
【図３】第一実施例の窓枠を建屋開口部に取付けた状態の模様凹部部分の断面図。
【図４】窓枠を建屋開口部に取付ける前の状態の第二実施例の断面図。
【図５】窓枠を建屋開口部に取付けた状態の第二実施例の断面図。
【符号の説明】
Ａ      窓枠
４      重合部片
５      建屋開口部
５Ａ    内壁
６      挿入部片
７      隅角部
１０    シール材
【図１】
0003631934.tif 000002
【図２】
0003631934.tif 000003
【図３】
0003631934.tif 000004
【図４】
0003631934.tif 000005
【図５】
0003631934.tif 000006